(57)【特許請求の範囲】
【請求項１】
撮像装置に着脱可能に装着される本体部と、
前記本体部に対して回動可能な可動部と、
前記可動部に設けられた発光部と、
前記可動部を回動させる駆動手段と、
検知範囲内にある物体を検知するための検知センサと、
前記検知センサの出力に応じて、前記駆動手段により前記可動部を回動させるときの回動角度を制限する制限角度を設定する設定手段と、
前記本体部の下面に設けられていて、当該本体部を撮像装置に装着するための接続部と、
前記本体部に設けられた、前記駆動手段により前記可動部を回動させる指示を行うための操作部と、を有し、
前記検知センサは、前記本体部を撮像装置に装着している状態にて、前記本体部における被写体側の面とは反対側の面に前記検知範囲の中心が下方に傾くように配置されていて、前記操作部が設けられている位置よりも下側の位置に配置されていることを特徴とする照明装置。
【請求項２】
前記検知センサは、前記検知範囲の中心が下方に５度以上４５度以下の角度で傾いていることを特徴とする請求項１に記載の照明装置。
【請求項３】
前記検知センサは、当該検知センサからの所定方向の距離が所定値未満の範囲を前記検知範囲とすることを特徴とする請求項１または２に記載の照明装置。
【請求項４】
前記検知センサは、前記接続部よりも前記可動部に近い位置に配置されていることを特徴とする請求項１ないし３のいずれか１項に記載の照明装置。
【請求項５】
前記検知センサは、前記本体部における前記検知センサが設けられている側から見て、前記本体部における前記操作部が設けられている位置よりも右側の位置に配置されていることを特徴とする請求項１ないし４のいずれか１項に記載の照明装置。
【請求項６】
前記検知センサは、前記本体部における前記検知センサが設けられている側から見て、前記本体部の左右方向の中心に配置されていることを特徴とする請求項１ないし４のいずれか１項に記載の照明装置。
【請求項７】
前記検知センサは、前記本体部における前記検知センサが設けられている側から見て、前記本体部の左右方向の中心から左右いずれかにずれた位置に配置されていることを特徴とする請求項１ないし４のいずれか１項に記載の照明装置。
【請求項８】
前記検知センサは複数あって、
複数の前記検知センサは、前記本体部における前記検知センサが設けられている側から見て、前記本体部の左右方向の中心を挟むように配置されていることを特徴とすることを特徴とする請求項１ないし４のいずれか１項に記載の照明装置。
【発明の詳細な説明】
【技術分野】
【０００１】
本発明は、照明装置に関するものである。
【背景技術】
【０００２】
従来、照明装置の光を天井等に向けて照射して天井等からの拡散反射光を被写体に照射する発光撮影（以下、バウンス発光撮影とする）が知られている。バウンス発光撮影によれば、照明装置の光を直接的ではなく間接的に被写体に照射することができるため、柔らかい光での描写が可能となる。
【０００３】
さらに、バウンス発光撮影における最適な照射方向を自動的に決定する技術も提案されている。特許文献１では、発光部の回動角度を自動で変更可能なストロボ装置において、回動角度を発光部が被写体側を向く角度ではなくユーザ側を向く角度にして反射体に発光部の光を照射させる技術が提案されている。
【先行技術文献】
【特許文献】
【０００４】
【特許文献１】特開２０１１―１７００１４号公報
【発明の概要】
【発明が解決しようとする課題】
【０００５】
しかしながら、特許文献１に記載された技術は、発光部の回動角度をユーザ側を向く角度にして反射体に発光部の光を照射させることが可能だが、ユーザに発光部の光が照射されてしまう場合について考慮されていない。
【０００６】
そこで、本発明は、照明装置からの光がユーザに照射されることを低減できるようにすることを目的とする。
【課題を解決するための手段】
【０００７】
上記の目標を達成するために、本発明に係る照明装置は、撮像装置に着脱可能に装着される本体部と、前記本体部に対して回動可能な可動部と、前記可動部に設けられた発光部と、前記可動部を回動させる駆動手段と、検知範囲内にある物体を検知するための検知センサと、前記検知センサの出力に応じて、前記駆動手段により前記可動部を回動させるときの回動角度を制限する制限角度を設定する設定手段と、前記本体部の下面に設けられていて、当該本体部を撮像装置に装着するための接続部と、前記本体部に設けられた、前記駆動手段により前記可動部を回動させる指示を行うための操作部と、を有し、前記検知センサは、前記本体部を撮像装置に装着している状態にて、前記本体部における被写体側の面とは反対側の面に前記検知範囲の中心が下方に傾くように配置されていて、前記操作部が設けられている位置よりも下側の位置に配置されていることを特徴とする。
【発明の効果】
【０００８】
本発明によれば、照明装置からの光がユーザに照射されることを低減することができる。
【図面の簡単な説明】
【０００９】
【図１】実施形態に係る照明装置を示す図である。
【図２】実施形態に係る照明装置の構成を示すブロック図である。
【図３】実施形態に係る照明装置の近接検知センサの検知範囲を示す図である。
【図４】照明装置と撮像装置を用いてバウンス発光撮影を行っている状態を示す図である。
【図５】実施形態に係る撮像装置の構成を示すブロック図である。
【図６】実施形態に係る照明装置の姿勢と近接検知センサの検知範囲との関係を示す図である。
【図７】実施形態に係る照明装置に対するユーザの操作を示す図である。
【図８】実施形態に係る撮像装置のバウンス発光撮影に関する動作を示す図である。
【図９】実施形態に係る照明装置のバウンス発光撮影に関する動作を示す図である。
【図１０】照明装置の変形例１を示す図である。
【図１１】照明装置の変形例２を示す図である。
【発明を実施するための形態】
【００１０】
以下に、本発明の好ましい実施の形態を、添付の図面に基づいて詳細に説明する。
【００１１】
まず、本実施形態に係る照明装置である、撮像装置に着脱可能な外付けストロボ（以下、ストロボ装置とする）について、図１、２、３、４を用いて説明する。なお、図１と図２とで同じものについては同じ符号にしている。また、図１のｘ軸、ｙ軸、ｚ軸は互いに直交している。図１、２は、本実施形態に係るストロボ装置の構成を説明する図であり、図３は、本実施形態に係るストロボ装置による近接物を検知可能な範囲を示す図であり、図４は、照明装置を撮像装置に装着させてバウンス発光撮影を行っている状態を示す図である。
【００１２】
本実施形態のストロボ装置２００は、撮像装置に着脱可能に装着されるストロボ本体部２０１、バウンス機構部２０２、ストロボ本体部２０１に対して回動可能な可動部であるストロボヘッド部２０３で構成されている。
【００１３】
ストロボ本体部２０１には、後述のストロボの全体を制御するマイクロコントローラ（ストロボＭＰＵ）２０４や、不図示の電池、電源供給回路などを有している。
【００１４】
また、ストロボ本体部２０１は、図１（ａ）に示すように、一部が本体部操作面２０１ａとなっている。本体部操作面２０１ａは、図４に示すようにストロボ装置２００をカメラ１００に取り付けた際に、ユーザ側に位置するように設けられている。そして、後述のオートバウンス駆動開始ボタン２１３や近接検知センサ２１２、その他の各種操作部材・表示部材が設けられている。
【００１５】
また、ストロボ本体部２０１は、図１（ａ）に示すように、撮像装置のアクセサリシューにストロボ本体部２０１を装着するためのカメラ接続部２０７が設けられている。カメラ接続部２０７が有する電気接点と撮像装置のアクセサリシューが有する電気接点とが接触することで、ストロボ装置２００はカメラ接続部２０７を介して撮像装置と通信することが可能になる。なお、本実施形態では、ストロボ本体部２０１におけるカメラ接続部２０７が設けられている面を下面、本体部操作面２０１ａを背面とする。言い換えると、本体部操作面２０１ａは、ストロボ本体部２０１を撮像装置に装着している状態にて、ストロボ本体部２０１における被写体側の面とは反対側の面である。
【００１６】
バウンス機構部２０２には、発光部２０５を発光させるためのエネルギーを充電するメインコンデンサ２１４、バウンス駆動モータ２１５ａ、２１５ｂ、ヘッド角度検出部２０６などを有している。
【００１７】
バウンス機構部２０２は、図１（ａ）に示す状態においてＹ軸と平行な軸Ａを回動中心にして、ストロボ本体部２０１に対して相対的に回動可能なようにストロボ本体部２０１に連結されている。そして、バウンス機構部２０２はユーザによる手動の回動操作やバウンス駆動モータ２１５ａによって回動される。前述したように、ストロボ本体部２０１のカメラ接続部２０７が設けられている側の面を下面、本体部操作面２０１ａを背面とすると、バウンス機構部２０２はストロボ本体部２０１に対して相対的に左右方向に回動可能である。
【００１８】
ストロボヘッド部２０３は、発光撮影時などに発光させる発光部２０５や、発光部２０５の光を照射された物体からの反射光を測定する測距用測光部２０８を有している。発光部２０５は、ストロボＭＰＵ２０４からの発光信号に従って、ストロボ光を発光する不図示のストロボ発光回路を備えている。また、発光部２０５は、発光に必要な光源（例えば、キセノン管等の放電管）、反射傘、フレネルレンズ等を備えている。なお、光源は、キセノン管等の放電管に限定されず、ＬＥＤであってもよく、ＬＥＤを光源に用いる構成であれば、メインコンデンサ２１４のような大型なコンデンサは不要である。
【００１９】
ストロボヘッド部２０３は、図１（ａ）に示す状態においてＺ軸と平行な軸Ｂを回動中心にして、バウンス機構部２０２に対して相対的に回動可能なようにバウンス機構部２０２に連結されている。そして、ストロボヘッド部２０３はユーザによる手動の回動操作やバウンス駆動モータ２１５ｂによって回動される。前述したように、ストロボ本体部２０１のカメラ接続部２０７が設けられている側の面を下面、本体部操作面２０１ａを背面とすると、ストロボヘッド部２０３はバウンス機構部２０２に対して相対的に上下方向に回動可能である。以上のことから、ストロボヘッド部２０３は、ストロボ本体部２０１に対して相対的に左右方向及び上下方向に回動可能であると言える。なお、図１（ａ）に示すような、軸ＡがＹ軸に平行であり軸ＢがＺ軸に平行な状態をストロボヘッド部２０３の基準位置とすると、基準位置において発光部２０５から照射される光の中心軸（発光部２０５からの光の照射方向の中心）はＸ軸と平行になる。また、本実施形態では、ストロボヘッド部２０３は、ストロボ本体部２０１に対して基準位置から右方向に１８０度、左方向に１８０度、上方向に１２０度、下方向に０度の範囲で回動可能であるとする。
【００２０】
ヘッド角度検出部２０６は、位相パターンを有する基板と接点ブラシで構成される回動角度検出センサで、ストロボ本体部２０１に対するストロボヘッド部２０３の相対的な回動角度を検出し、ストロボＭＰＵ２０４に出力する。
【００２１】
測距用測光部２０８は、発光部２０５の光を照射された物体からの反射光を測距用測光部２０８が有する受光センサで測定し、測定結果をストロボＭＰＵ２０４に出力する。測距用測光部２０８の受光センサは、発光部２０５の光を照射された物体からの反射光を測定しやすい位置（例えばストロボヘッド部２０３の先端部）に、発光部２０５からの光の照射方向に受光面が向くように設けられている。
【００２２】
ストロボＭＰＵ２０４は、測距用測光部２０８の測定結果に基づいて、発光部２０５の光を照射された物体の距離を算出する。例えば、基準距離に位置する基準反射率の物体に対して基準発光量で発光部２０５の光を照射させたときに測距用測光部２０８で測定される測定結果を予め実験などで求めてストロボＭＰＵ２０４が内蔵するメモリに記憶させておく。そして、ストロボＭＰＵ２０４は、実際の発光部２０５の発光量と実際に測距用測光部２０８で測定された測定結果とに基づいて、物体が基準反射率であった場合に位置する距離を算出する。このように算出された距離を発光部２０５の光を照射された物体の距離とすることで、測距用測光部２０８の測定結果に基づいて、発光部２０５の光を照射された物体の距離を算出することができる。なお、距離の算出方法はここで説明した方法に限定されず、例えば三角測距法やレーザー距離測定法など公知の別の方法を用いても構わない。
【００２３】
このようにして測距用測光部２０８の測定結果に基づいて算出された物体の距離は、バウンス角度演算部２１１でのオートバウンス駆動制御時のストロボヘッド部２０３の角度決定に用いられる。例えば、ストロボＭＰＵ２０４によって測距用測光部２０８を用いて被写体の距離を算出するとともにバウンス発光撮影時に発光部２０５からの光を反射させる反射体の距離を算出する。そして、バウンス角度演算部２１１は、算出された被写体の距離と反射体の距離とに基づいて、バウンス発光撮影に最適なストロボヘッド部２０３の角度（発光部２０５からの光の照射方向）を決定する。ここで、被写体の距離をＤ、反射体の距離をｄ、最適な照射方向となるストロボヘッド部２０３の基準位置からの回動角度をθとして、以下の式（１）にて決定する。
θ＝ｔａｎ−１（２ｄ／Ｄ）      ・・・（１）
【００２４】
なお、ストロボヘッド部２０３の角度の決定方法はここで説明した方法に限定されず、公知の別の方法を用いても構わない。
【００２５】
バウンス駆動制御部２０９は、ストロボＭＰＵ２０４からの信号に従って、バウンス駆動モータ２１５ａ、２１５ｂを制御することにより、ストロボヘッド部２０３をストロボ本体部２０１に対して左右方向や上下方向に回動させる。
【００２６】
近接検知センサ２１２は、公知の赤外線センサや超音波距離センサなどの、所定の検知範囲内にある物体を検知するセンサであり、図１（ａ）、（ｂ）に示すように、ストロボ本体部２０１の本体部操作面２０１ａの左右方向の中心に配置される。また、近接検知センサ２１２は、カメラ接続部２０７の上方であって、本体部操作面２０１ａに設けられた各種操作部材や表示部材近傍の下方に配置される。すなわち、近接検知センサ２１２は、ストロボ本体部２０１を撮像装置に装着している状態にて、ストロボ本体部２０１における被写体側の面とは反対側の面に配置されている。また、近接検知センサ２１２は、ストロボ本体部２０１における近接検知センサ２１２が設けられている側から見て、ストロボ本体部２０１の左右方向の中心に配置されている。また、近接検知センサ２１２は、カメラ接続部２０７よりもストロボヘッド部２０３に近い位置に配置されている。
【００２７】
近接検知センサ２１２は、物体を検知した場合は「近接物あり」を示す検知結果をストロボＭＰＵ２０４に出力する。なお、近接検知センサ２１２は、物体を検知していない場合に「近接物なし」を示す検知結果をストロボＭＰＵ２０４に出力してもよい。
【００２８】
また、近接検知センサ２１２には、図３に示すように検知範囲２１２ａがあり、近接検知センサ２１２の位置からの所定方向の距離が所定値未満の範囲を検知範囲２１２ａとする。ただし、検知範囲が広すぎるとユーザがカメラ１００のファインダから顔を離している状態でもユーザの顔を検知してしまうので、例えば近接検知センサ２１２の位置から１０ｃｍくらいまでを検知範囲とするのが好ましい。また、検知範囲２１２ａの中心は、本体部操作面２０１ａに対して下方に傾いている。具体的には、ストロボヘッド部２０３がストロボ本体部２０１に対して基準位置にある状態において発光部２０５から照射される光の中心軸と平行で近接検知センサ２１２を通る軸Ｏに対して角度αだけ検知範囲２１２ａの中心が下方に傾けて設定されている。
【００２９】
このように検知範囲２１２ａを下方に傾けることにより、ユーザがカメラ１００のファインダを覗き込んでいるときにユーザを検知範囲に入りやすくしている。なお、近接検知センサ２１２の傾き角度αは、検知範囲２１２ａの範囲や、カメラ１００からの近接検知センサ２１２の距離を考慮して、５度以上４５度以下の角度で設定されることが望ましい。そうすることで、ユーザがカメラ１００を構える姿勢（ストロボ装置２００の姿勢）によらず、ユーザがカメラ１００のファインダを覗き込んでいるときにユーザを精度よく検知することができる。
【００３０】
なお、上記では、近接検知センサ２１２は所定の検知範囲内にある物体を検知するためのセンサと説明しているが、物体までの距離を測定するセンサも、測定した距離から物体が所定の検知範囲内にあるか否かがわかるので、近接検知センサ２１２に含まれる。このような物体までの距離を測定するセンサの場合、センサの測定結果（センサの出力）に基づいてストロボＭＰＵ２０４が「近接物あり」か「近接物なし」を判定すればよい。
【００３１】
オートバウンス駆動開始ボタン２１３は、バウンス発光撮影に適したストロボヘッド部２０３の角度（発光部２０５からの光の照射方向）を決定するための動作（以下、オートバウンス動作とする）を開始させるためにユーザによって操作される。
【００３２】
次に、本実施形態に係る撮像装置であるカメラ１００について、図５を用いて説明する。
【００３３】
マイクロコントローラ（以下カメラＭＰＵ）１０１は、撮影シーケンスなどカメラ１００全体を制御する。
【００３４】
撮像素子１０３は、被写体からの光を光電変換して電荷を蓄積するＣＣＤやＣＭＯＳ等の撮像素子である。タイミング信号発生回路１０２は、撮像素子１０３を動作させるために必要なタイミング信号を発生する。Ａ／Ｄ変換器１０４は、撮像素子１０３から読み出されたアナログ画像データをデジタル画像データに変換する。メモリコントローラ１０５は、メモリの読み書きやバッファメモリ１０６のリフレッシュ動作などを制御するためのコントローラである。
【００３５】
画像表示部１０７は、バッファメモリに蓄えられた画像データ、記憶媒体１０９に記録された画像データ、メニュー画面などを表示する液晶パネルや有機ＥＬパネルであり、カメラ１００の背面に設けられている。また、画像表示部１０７は、撮像素子１０３で連続的に撮像して得られた撮像画像を逐次表示する機能、いわゆるライブビュー機能も実行可能である。インターフェース１０８は、記録媒体との接続のためのインターフェースであり、記憶媒体１０９は、メモリカードやハードディスクなどの画像データが記録可能な記憶媒体である。
【００３６】
モータ制御部１１０は、カメラＭＰＵ１０１からの信号に従って不図示のモータを制御することにより、不図示のミラーのアップ・ダウンを行わせる。シャッター制御部１１１は、カメラＭＰＵ１０１からの信号に従って、不図示のメカニカルシャッターを走行させる。測光部１１２は、複数の測光エリア毎に測光センサ１１３で測光を行い得られた測光結果をカメラＭＰＵ１０１に出力する。カメラＭＰＵ１０１はこの輝度信号を不図示のＡ／Ｄ変換器により変換を行い、露出制御のためのＡＶ（絞り値）、ＴＶ（シャッタースピード）、ＩＳＯ（撮像素子の感度）等の露出制御値の演算を行う。また測光部１１２は同様に、内蔵ストロボ１１９、または着脱可能なストロボ装置２００にて被写体へ向けて予備（プリ）発光した時の輝度信号をカメラＭＰＵ１０１に出力し、撮影時の発光量の演算も行う。
【００３７】
レンズ制御部１１４は、不図示のレンズマウント接点を介して接続された撮影レンズのレンズＭＰＵと通信し、撮影レンズ内のレンズ駆動モータ及びレンズ絞りモータを動作させ、撮影レンズの焦点調節と絞りを制御している。１１５は焦点検出部で、従来の位相差検出方式等を用いて、ＡＦ（オートフォーカス）のための被写体に対するデフォーカス量を検出する機能を有する。なお、撮影レンズが取り外しできないレンズ内蔵型の撮像装置でもよい。
【００３８】
姿勢検出部１１６は、ジャイロセンサなどを用いて撮影光軸を中心とした回転方向に対するカメラ１００の傾きを検出する。スイッチ操作部１１７は、第１ストロークでＳＷ１がＯＮとなり、ＳＷ１がＯＮとなったことを検知することでカメラＭＰＵ１０１はＡＦおよび測光を開始させる。また、スイッチ操作部１１７は、第２ストロークでＳＷ２がＯＮとなり、ＳＷ２がＯＮとなったことを検知することでカメラＭＰＵ１０１は撮影を開始させる。
【００３９】
ストロボ制御部１１８は、カメラＭＰＵ１０１からの信号に従って内蔵ストロボ１１９または着脱可能なストロボ装置２００の制御を行う。また、カメラＭＰＵ１０１は、内蔵ストロボ１１９や着脱可能なストロボ装置２００との通信はストロボ制御部１１８を介して行う。なお、ストロボ制御部１１８には、前述したストロボ装置２００のカメラ接続部２０７と接続可能なアクセサリシューが含まれている。カメラ接続部２０７と接続可能なアクセサリシューは、カメラ１００の上面に設けられている。
【００４０】
ファインダ１２０は、撮影レンズを通って入射し不図示のミラーにより反射された被写体像を観察するための被写体観察部であり、ファインダ１２０を覗くことで構図を確認することができる。ファインダ１２０は、ユーザが撮影する姿勢において覗きやすいように、カメラ１００の背面の上部に設けられている。本実施形態では、カメラ１００のアクセサリシュー及びファインダ１２０は、カメラ１００の左右方向における中心に設けられているものとする。なお、ファインダ１２０は、不図示のミラーにより反射された被写体像を観察するいわゆる光学ファインダではなく、撮像素子１０３あるいは撮像素子１０３とは別に設けられた撮像素子で撮影して得られた画像を観察するいわゆる電子ファインダであってもよい。
【００４１】
次に、ストロボ装置２００の姿勢と近接検知センサ２１２の検知範囲２１２ａとの関係について図６を用いて説明する。図６（ａ）は、検知範囲２１２ａを傾けずにカメラ１００の上下方向を重力方向と平行にした状態の検知範囲２１２ａとユーザの位置関係を示す図である。図６（ｂ）は、検知範囲２１２ａを傾けずにカメラ１００の上下方向を重力方向と直交させた状態の検知範囲２１２ａとユーザの位置関係を示す図である。図６（ｃ）は、検知範囲２１２ａを傾けてカメラ１００の上下方向を重力方向と平行にした状態の検知範囲２１２ａとユーザの位置関係を示す図である。図６（ｄ）は、検知範囲２１２ａを傾けてカメラ１００の上下方向を重力方向と直交させた状態の検知範囲２１２ａとユーザの位置関係を示す図である。以下では、上下方向を重力方向と平行にした状態のカメラ１００の姿勢を正位置、上下方向を重力方向と直交させた状態のカメラ１００の姿勢を縦位置とする。
【００４２】
図６（ａ）に示すように正位置の状態では、ユーザＰがファインダ１２０を覗くとユーザが検知範囲２１２ａに入るため、ストロボ装置２００の近傍にいるユーザを検知することができる。一方、図６（ｂ）に示すように縦位置の状態では、ユーザＰがファインダ１２０を覗くとユーザが検知範囲２１２ａの中心から外れるため、ストロボ装置２００の近傍にいるユーザを検知できない場合がある。
【００４３】
これらに対して、検知範囲２１２ａを下方に傾けると、図６（ｃ）、（ｄ）に示すように正位置でも縦位置でも、ユーザＰがファインダ１２０を覗くとユーザが検知範囲２１２ａの中心に入る。そのため、ストロボ装置２００の近傍にいるユーザを精度よく検知することができる。
【００４４】
次に、ストロボ装置２００に対するユーザの操作について図７を用いて説明する。
【００４５】
前述したように、ストロボ装置２００の背面には、オートバウンス駆動開始ボタン２１３などの各種操作部材や表示部材が設けられている。
【００４６】
そのため、ユーザがオートバウンス駆動開始ボタン２１３を操作するときに、ユーザの手が検知範囲２１２ａに入ってしまうと、ライブビュー撮影状態であっても、ユーザがファインダ１２０を覗いているファインダ撮影状態と誤検知してしまう可能性がある。そこで図７（ａ）、（ｂ）に示すように、ユーザがオートバウンス駆動開始ボタン２１３を操作するときに、ユーザの手が検知範囲２１２ａに入りにくい位置に、オートバウンス駆動開始ボタン２１３を配置することが望ましい。
【００４７】
図７（ａ）では、オートバウンス駆動開始ボタン２１３を、本体部操作面２０１ａ内で、ユーザから見て近接検知センサ２１２から左上の方向に離れた位置に配置している。そうすることで、ユーザがカメラ１００の右側面近傍に設けられたグリップ部分を右手で持ちながら、手が検知範囲２１２ａに入ることなく左手で容易にオートバウンス駆動開始ボタン２１３を操作することができる。
【００４８】
また、図７（ｂ）では、オートバウンス駆動開始ボタン２１３をストロボ本体部２０１の左側面に配置している。図７（ｂ）に示す位置でも図７（ａ）に示す位置と同様に、ユーザがカメラ１００の右側面近傍に設けられたグリップ部分を右手で持ちながら、手が検知範囲２１２ａに入ることなく左手で容易にオートバウンス駆動開始ボタン２１３を操作することができる。すなわち、近接検知センサ２１２は、ストロボ本体部２０１における近接検知センサ２１２が設けられている側から見て、ストロボ本体部２０１におけるオートバウンス駆動開始ボタン２１３が設けられている位置よりも右側の位置に配置されている。また、近接検知センサ２１２は、ストロボ本体部２０１における近接検知センサ２１２が設けられている側から見て、ストロボ本体部２０１におけるオートバウンス駆動開始ボタン２１３が設けられている位置よりも下側の位置に配置されている。
【００４９】
なお、本実施形態では、オートバウンス駆動開始ボタン２１３の配置例を説明したが、近接検知センサ２１２の検知結果に基づいて制御される動作に対応する操作部材について、同様の考え方に基づいて配置すれば、誤動作を防止することができる。
【００５０】
次に、バウンス発光撮影に関する動作について図８、９を用いて説明する。
【００５１】
図８は、カメラ１００の動作フローチャートを示しており、図９は、ストロボ装置２００の動作フローチャートを示している。
【００５２】
まず、バウンス発光撮影に関するカメラ１００の動作を図８を用いて説明する。図８は、カメラ１００の動作モードが撮影モードに設定されている状態にて繰り返し実行される。また、カメラ１００は、アクセサリシューによってストロボ装置２００と接続されているものとする。
【００５３】
ステップＳ１０１にて、カメラＭＰＵ１０１はスイッチ操作部１１７のＳＷ１の状態検知を行い、ＯＮの場合はステップＳ１０２へ移行し、ＯＦＦの場合はＳＷ１の状態検知を継続する。
【００５４】
ステップＳ１０２にて、カメラＭＰＵ１０１は、焦点検出部１１５及びレンズ制御部１１４を制御してＡＦ処理（オートフォーカス処理）を行わせる。
【００５５】
ステップＳ１０３にて、カメラＭＰＵ１０１は、測光部１１２を制御して測光処理を行う。また、カメラＭＰＵ１０１は、測光部１１２の測光結果に基づいて、露出制御のためのＡＶ（絞り値）、ＴＶ（シャッタースピード）、ＩＳＯ（撮像素子の感度）等の露出制御値の演算を行う。
【００５６】
ステップＳ１０４にて、カメラＭＰＵ１０１は、ストロボ制御部１１８を介してストロボ装置２００に対してオートバウンス動作の開始指示を送信する。
【００５７】
ステップＳ１０５にて、カメラＭＰＵ１０１は、ストロボ装置２００からのオートバウンス動作の終了通知のチェックを行う。終了通知を取得していれば、オートバウンス終了としてステップＳ１０６へ移行し、取得してなければ終了通知のチェックを継続する。
【００５８】
ステップＳ１０６にて、カメラＭＰＵ１０１は、スイッチ操作部１１７のＳＷ２の状態検知を行い、ＯＮの場合はステップＳ１０８へ移行し、ＯＦＦの場合はステップＳ１０７へ移行する。
【００５９】
ステップＳ１０７にて、カメラＭＰＵ１０１は、ステップＳ１０１と同様にＳＷ１の状態検知を行い、ＯＮの場合はステップＳ１０６へ移行し、ＯＦＦの場合はステップＳ１０１へ移行する。
【００６０】
ステップＳ１０８にて、カメラＭＰＵ１０１は、予備発光処理を行う。予備発光処理として、まず、カメラＭＰＵ１０１は、ストロボ制御部１１８に対して予備発光を指示する。ストロボ制御部１１８は、ストロボ装置２００に対して所定光量での予備発光の指示を送信し、ストロボ装置２００で予備発光が開始される。カメラＭＰＵ１０１はこの予備発光した時の測光部１１２で得られた測光値に基づいて撮影時の発光量を算出する。
【００６１】
次にステップＳ１０９にて、カメラＭＰＵ１０１は、モータ制御部１１０を制御して、不図示のミラーをアップさせる。ミラーをアップさせることで、撮影レンズを通ってきた光束がミラーに反射されず撮像素子１０３へと導かれる。
【００６２】
ステップＳ１１０にて、カメラＭＰＵ１０１は、撮像素子１０３での電荷の蓄積を開始させる。なお、この時点では、撮像素子１０３は不図示のメカニカルシャッターにより遮光されているので、電荷の蓄積を開始していても蓄積される電荷は無視できるレベルである。
【００６３】
ステップＳ１１１にて、カメラＭＰＵ１０１は、シャッター制御部１１１を制御して、不図示のメカニカルシャッターを走行させて撮像素子１０３が露光された状態にする。露光された状態の撮像素子１０３は、入射した光量に応じた電荷を蓄積する。
【００６４】
ステップＳ１１２にて、カメラＭＰＵ１０１は、本発光処理を行う。本発光処理として、カメラＭＰＵ１０１は、ストロボ制御部１１８に対してステップＳ１０８で算出された発光量での本発光を指示する。ストロボ制御部１１８は、ストロボ装置２００に対して算出された発光量での本発光指示を送信し、ストロボ装置２００で本発光が開始される。なお、このとき、発光撮影用にステップＳ１０３で演算された露出制御値を用いて露出制御を行う。
【００６５】
ステップＳ１１３にて、カメラＭＰＵ１０１は、シャッター制御部１１１を制御して、不図示のメカニカルシャッターを走行させて撮像素子１０３が遮光された状態にする。
【００６６】
ステップＳ１１４にて、カメラＭＰＵ１０１は、撮像素子１０３での電荷の蓄積を終了させる。以上のように、撮像素子１０３で電荷の蓄積を行う期間は、撮像素子１０３が露光されている期間よりも長い期間となるが、前述したように、遮光された状態の撮像素子１０３で蓄積される電荷を無視できるレベルである。そのため、撮像素子１０３が露光されている期間を電荷蓄積期間としてもよく、撮像素子１０３が露光されている期間の長さ（露光時間）を電荷蓄積時間としてもよい。
【００６７】
ステップＳ１１５にて、カメラＭＰＵ１０１は、モータ制御部１１０を制御して、不図示のミラーをダウンさせる。ミラーをダウンさせることで、撮影レンズを通ってきた光束がミラーに反射されて撮像素子１０３へと導かれず、ファインダ１２０へと導かれる。
【００６８】
ステップＳ１１６にて、カメラＭＰＵ１０１は、撮像素子１０３から読み出されたアナログ画像データをＡ／Ｄ変換器１０４にデジタル画像データに変換させ、デジタル画像データをバッファメモリ１０６に一時記憶させる。全てのデジタル画像データがバッファメモリ１０６に記憶されると、カメラＭＰＵ１０１は、デジタル画像データに対して所定の現像処理を施し、画像データを作成する。
【００６９】
ステップＳ１１７にて、カメラＭＰＵ１０１は、作成した画像データを記憶媒体Ｉ／Ｆ１０８を介して記憶媒体１０９に画像ファイルとして記録させ、一連の撮影処理を終了する。
【００７０】
なお、ライブビュー機能を実行している場合は、ミラーはアップした状態なのでステップＳ１０９は省略される。さらに、シャッターも撮像素子１０３が露光された状態となっているので、ステップＳ１１１も省略される。また、発光撮影後にライブビュー機能を再開する場合は、ステップＳ１１３やステップＳ１１５を省略してもよい。
【００７１】
次に、バウンス発光撮影に関するストロボ装置２００の動作について図９を用いて説明する。
【００７２】
ステップＳ２０１にて、ストロボＭＰＵ２０４は、カメラ１００からのオートバウンス動作の開始指示のチェックを行う。図８のステップＳ１０４でカメラ１００から送信される開始指示を取得していれば、ステップＳ２０２に移行し、取得していなければステップＳ２０１へと戻りオートバウンス動作の開始指示のチェックを継続する。
【００７３】
ステップＳ２０２にて、ストロボＭＰＵ２０４は、ヘッド角度検出部２０６により検出された、左右方向と上下方向のストロボヘッド部２０３の相対的な回動角度を取得する。この回動角度の検出結果は、カメラ１００からのオートバウンス動作の開始指示を受信する直前の結果でも、カメラ１００からのオートバウンス動作の開始指示を受信した後に新たに検出を行い得られた結果でもよい。
【００７４】
ステップＳ２０３にて、ストロボＭＰＵ２０４は、近接検知センサ２１２の検知結果を取得する。この近接検知センサ２１２の検知結果は、カメラ１００からのオートバウンス動作の開始指示を受信する直前の結果でも、カメラ１００からのオートバウンス動作の開始指示を受信した後に新たに検知を行い得られた結果でもよい。
【００７５】
ステップＳ２０４では、ストロボＭＰＵ２０４は、近接検知センサ２１２の検知結果に基づいて、ストロボヘッド部２０３を自動的に回動させるときの回動角度を制限する制限角度を設定する。
【００７６】
例えば、近接検知センサ２１２の検知結果が「近接物あり」を示す場合は、検知結果が「近接物あり」を示さない場合よりも、近接検知センサ２１２の近傍にユーザが存在する可能性が高い。そのため、検知結果が「近接物あり」を示す場合に、ストロボヘッド部２０３をストロボ装置２００の背面側に大きく回動させると、発光部２０５からの光がストロボ装置２００の背面側の近くにいるユーザに照射される可能性がある。そこで、検知結果が「近接物あり」を示す場合は、検知結果が「近接物あり」を示さない場合よりも制限角度を小さくし、ストロボ装置２００の背面側に発光部２０５からの光が照射されにくくする。このように近接検知センサ２１２の検知結果に応じてストロボヘッド部２０３を自動的に回動させるときの回動角度を制限する制限角度を変更することで、照明装置からの光がユーザに照射されることを低減できる。
【００７７】
また、別の制限角度の設定方法も考えられる。例えば、本実施形態のような近接検知センサ２１２の配置であれば、近接検知センサ２１２の検知結果が「近接物あり」を示す場合は、ユーザがカメラ１００のファインダ１２０を覗いている可能性が高い。一方、近接検知センサ２１２の検知結果が「近接物あり」を示さない場合は、ユーザがカメラ１００のファインダ１２０を覗いていないと考えられる。ユーザがカメラ１００のファインダ１２０を覗いている場合のほうが、覗いていない場合よりも、ストロボヘッド部２０３をストロボ装置２００の背面側に大きく回動させたときに、発光部２０５からの光がユーザに照射される可能性が低い。なぜなら、図６に示すように、ユーザがカメラ１００のファインダ１２０を覗いている場合、ストロボヘッド部２０３をストロボ装置２００の背面側に大きく回動させたとしても、ストロボヘッド部２０３がユーザと対向しないからである。
【００７８】
そこで、検知結果が「近接物あり」を示さない場合は、検知結果が「近接物あり」を示す場合よりも制限角度を小さくし、ストロボ装置２００の背面側に発光部２０５からの光が照射されにくくする。
【００７９】
なお、検知結果が「近接物あり」を示す場合と「近接物あり」を示さない場合のうち、制限角度を大きくするほうはステップＳ２０４で制限角度を設定しなくてもよい。例えば、メカ構成により上方向に１２０度の範囲で回動可能である場合、ステップＳ２０４で電気的に制限角度を１２０度に設定しなくても、上方向の回動角度は１２０度に予め制限されているため、ステップＳ２０４は不要である。
【００８０】
以上のように、いずれの設定方法であっても、近接検知センサ２１２の検知結果に応じてストロボヘッド部２０３を自動的に回動させるときの回動角度を制限する制限角度を変更することで、照明装置からの光がユーザに照射されることを低減できる。
【００８１】
ステップＳ２０５にて、ストロボＭＰＵ２０４は、バウンス駆動制御部２０９に指示して、発光部２０５からの光の照射方向が重力方向と逆方向（天井方向）となるようにストロボヘッド部２０３を移動させる。
【００８２】
そして、ストロボＭＰＵ２０４は、発光部２０５から光を照射させ、発光部２０５の光を照射させたときに測距用測光部２０８で測定される測定結果に基づいて、発光部２０５の光を照射された物体の距離を算出する。その後、ストロボＭＰＵ２０４は、カメラ１００に発光部２０５の光を照射された物体の距離を算出する一連の動作が終了したことを示す終了通知を送信する。
【００８３】
ステップＳ２０６にて、ストロボＭＰＵ２０４は、バウンス駆動制御部２０９に指示して、発光部２０５からの光の照射方向が撮影方向（正面方向）となるようにストロボヘッド部２０３を移動させる。なお、本実施形態では、ストロボヘッド部２０３の位置が基準位置にある場合に照射方向が撮影方向となる構成としている。そこで、ストロボＭＰＵ２０４は、ストロボ本体部２０１の姿勢に関する情報及び現在のストロボヘッド部２０３の位置に基づいて、照射方向を正面方向に向けるために必要なストロボヘッド部２０３の移動量を算出する。ストロボ本体部２０１の姿勢に関する情報は、姿勢検出部１１６の検出結果である。
【００８４】
そして、ストロボＭＰＵ２０４は、発光部２０５から光を照射させ、発光部２０５の光を照射させたときに測距用測光部２０８で測定される測定結果に基づいて、発光部２０５の光を照射された物体の距離を算出する。その後、ストロボＭＰＵ２０４は、カメラ１００に発光部２０５の光を照射された物体の距離を算出する一連の動作が終了したことを示す終了通知をカメラ１００に送信する。
【００８５】
ステップＳ２０７にて、ストロボＭＰＵ２０４は、バウンス角度演算部２１１に指示して、バウンス発光撮影に適したストロボヘッド部２０３の角度、つまりバウンス発光撮影用のストロボヘッド部２０３の角度（発光部２０５からの光の照射方向）を決定させる。バウンス角度演算部２１１は、ステップＳ２０４で設定された制限角度と、ステップＳ２０５、Ｓ２０６で得られた２つの方向の物体の距離とに基づいて、バウンス発光撮影用のストロボヘッド部２０３の角度を決定する。
【００８６】
このステップＳ２０７では、バウンス角度演算部２１１は、ステップＳ２０４で設定された制限角度を超えない範囲で、バウンス発光撮影用のストロボヘッド部２０３の角度を決定する。例えば、ステップＳ２０５、Ｓ２０６で得られた２つの距離に基づいて前述の式（１）により決定された角度が上方向に１００度となる場合、ステップＳ２０４で設定された上方向の制限角度が９０度であれば、ストロボヘッド部２０３の角度を９０度に決定する。また、前述したようにステップＳ２０４で制限角度が設定されていない場合、メカ構成で制限される回動可能な範囲内でストロボヘッド部２０３の角度を決定する。
【００８７】
ステップＳ２０８にて、ストロボＭＰＵ２０４は、バウンス駆動制御部２０９に指示して、ストロボヘッド部２０３の角度がステップＳ２０７で決定した角度となるようにストロボヘッド部２０３を移動させる。その後、ストロボＭＰＵ２０４は、ステップＳ２０７で決定した角度となるようにストロボヘッド部２０３を移動させたことを示す終了通知をカメラ１００に送信する。
【００８８】
ステップＳ２０９にて、ストロボＭＰＵ２０４は、カメラ１００からの発光指示のチェックを行う。カメラ１００からの発光指示（予備発光指示または本発光指示）と当該発光時の発光量を取得していればステップＳ２１０へ移行し、取得していなければ発光指示のチェックを継続する。
【００８９】
ステップＳ２１０にて、ストロボＭＰＵ２０４は、指示された発光のパターン（予備発光または本発光）と当該発光量に基づいて発光部２０５を発光させる。
【００９０】
ステップＳ２１１にて、ストロボＭＰＵ２０４は、ステップＳ２０９でチェックした発光指示が予備発光指示だった場合はステップＳ２０９へ戻り、ステップＳ２０９でチェックした発光指示が本発光指示だった場合はバウンス発光撮影に関する処理を終了する。
【００９１】
以上のように、本実施形態では、ストロボ装置２００の背面に近接検知センサ２１２を設け、近接検知センサ２１２の検知結果に応じてストロボヘッド部２０３を自動的に回動させるときの回動角度を制限する制限角度を変更している。そのため、照明装置からの光がユーザに照射されることを低減できる。また、近接検知センサ２１２の検知範囲を下方に傾けている。そのため、ストロボ装置２００の使用時の姿勢によらず、近接検知センサ２１２によりカメラ１００のファインダ１２０を覗くユーザを精度よく検知することができ、照明装置からの光がユーザに照射されることをより低減できる。
【００９２】
以下、図１０を用いて、照明装置であるストロボ装置の変形例１について説明する。なお、以下の変形例１の説明では、上記の実施形態と異なる部分について詳細に説明し、上記の実施形態と同様の部分の説明については省略する。
【００９３】
図１０に示す変形例１では、ストロボ本体部２０１の本体部操作面２０１ａの中で、カメラ接続部２０７の上方近傍で、かつ、ユーザから見て本体部操作面２０１ａの中心から左側に所定の距離だけずれた位置に近接検知センサ２１２が配置される。
【００９４】
図３などを用いて説明したストロボ装置２００では、近接検知センサ２１２は、カメラ接続部２０７の上方近傍で、かつ、本体部操作面２０１ａの左右方向の中心に配置される。しかしながら、近接検知センサ２１２の検知範囲２１２ａが撮影者Ｐを十分に検知できる範囲となるのであれば、図１０に示すように左右方向にずらした位置に近接検知センサ２１２を配置してもよい。このように近接検知センサ２１２の配置に自由度を持たせることで、ストロボ装置２００を小型化する上でより有利な配置とすることができる。
【００９５】
また、変形例１では、本体部操作面２０１ａの中心から左側に所定の距離だけずれた位置に近接検知センサ２１２を配置したが、本体部操作面２０１ａの中心から右側に所定の距離だけずれた位置に近接検知センサ２１２を配置してもよい。
【００９６】
また、装着することが想定されるカメラのデザインなどを考慮して近接検知センサ２１２の配置を決定してもよい。例えば、カメラのアクセサリシューがカメラの背面側から見て撮影光軸よりも左側にずれている場合、このカメラのアクセサリシューに装着されたストロボ装置の位置も撮影光軸よりも左側にずれることになる。このような構成のカメラのファインダをユーザが覗くときには、右目で覗くよりも左目で覗いたほうがユーザの顔の位置と撮影光軸とのずれは小さく、ユーザがカメラを構えやすい。そのため、このような構成のカメラに装着されることを想定すると、本体部操作面２０１ａの中心から左側にずれた位置に近接検知センサ２１２を配置するよりも左側にずれた位置に近接検知センサ２１２を配置するほうがユーザを精度よく検知することができる。あるいは、背面側から見たアクセサリシューの位置とファインダの位置とがずれているカメラに装着することが想定される場合、アクセサリシューの位置とファインダの位置の関係を考慮して近接検知センサ２１２の配置を決定してもよい。当該アクセサリシューに装着されたときに本体部操作面２０１ａの中心からファインダに近い側にずれた位置に近接検知センサ２１２を配置したほうが、近接検知センサ２１２の検知範囲２１２ａにファインダを覗いているユーザが入りやすい。
【００９７】
以上のように、近接検知センサ２１２の配置は、本体部操作面２０１ａの左右方向の中心に限定されない。
【００９８】
以下、図１１を用いて、照明装置であるストロボ装置の変形例２について説明する。なお、以下の変形例２の説明では、上記の実施形態と異なる部分について詳細に説明し、第１の実施形態と同様の部分の説明については省略する。
【００９９】
図１１に示す変形例２では、ストロボ本体部２０１の本体部操作面２０１ａの中で、カメラ接続部２０７の上方近傍で、かつ、本体部操作面２０１ａの中心を挟むように左右両側に近接検知センサ３１２、４１２が配置される。
【０１００】
変形例２のように複数の近接検知センサを設けることで検知可能な範囲が広くなり、ファインダ１２０を覗くユーザを精度よく検知することができる。なお、変形例２における近接検知センサ３１２、４１２は近接検知センサ２１２と同様のものでよい。また、変形例２では、近接検知センサを２つ設ける構成を近接検知センサを複数設ける構成例として説明したが、近接検知センサを３つ以上設ける構成でもよい。
【０１０１】
なお、上記の実施形態や変形例１、２でストロボ装置２００で実行している処理をカメラ１００で実行し、カメラ１００でストロボ装置２００に各種制御を行うようにしてもよい。例えば、発光部２０５の光を照射された物体からの反射光を測光部１１２が有する測光センサ１１３で測定して、測定結果に基づいてカメラＭＰＵ１０１で距離を算出する。そして、カメラＭＰＵ１０１でバウンス発光撮影に最適なストロボヘッド部２０３の角度を決定し、決定した角度となるようにカメラ１００からストロボ装置２００に指示を送信する。また、近接検知センサ２１２の検知結果をストロボ装置２００から受け取り、受け取った情報に基づいてカメラＭＰＵ１０１で制限角度を設定する。設定した制限角度の範囲内でストロボヘッド部２０３を回動させるようにカメラ１００からストロボ装置２００に指示を送信する。すなわち、カメラ１００が、近接検知センサ２１２の検知結果に応じてストロボヘッド部２０３を自動的に回動させるときの回動角度を制限する制限角度を変更するようにしてもよい。
【０１０２】
また、上記の実施形態や変形例１、２では、発光部からの光の照射方向を照明装置の上下方向及び左右方向に変更可能な照明装置の例を説明したが、上下方向と左右方向のいずれか一方のみに変更可能な照明装置であってもよい。
【０１０３】
以上、本発明の好ましい実施形態について説明したが、本発明はこれらの実施形態に限定されず、その要旨の範囲内で種々の変形及び変更が可能である。
【符号の説明】
【０１０４】
１００  カメラ
１０１  カメラＭＰＵ
２００  ストロボ装置
２０１  ストロボ本体部
２０１ａ  本体部操作面
２０２  バウンス機構部
２０３  ストロボヘッド部
２０４  ストロボＭＰＵ
２０７  カメラ接続部
２１２  近接検知センサ
２１３  オートバウンス駆動開始ボタン
【図１】
0006584129.tif 000002
【図２】
0006584129.tif 000003
【図３】
0006584129.tif 000004
【図４】
0006584129.tif 000005
【図５】
0006584129.tif 000006
【図６】
0006584129.tif 000007
【図７】
0006584129.tif 000008
【図８】
0006584129.tif 000009
【図９】
0006584129.tif 000010
【図１０】
0006584129.tif 000011
【図１１】
0006584129.tif 000012